(57)【要約】【課題】前枠の設計変更をすることなく音源とその音源からの効果音の音の発生出口を増設することが可能なパチンコ遊技機を提供すること。【解決手段】パチンコ遊技機の機構盤に装着される球タンク１０２と、同球タンクの下流位置に配置され遊技の進行に伴って前記球タンクからの所定量のパチンコ球の下流側に順にタンクレール１０３、上部ケースレール１０４、主ケースレール１０５を配置する。一方、扉枠の下方にはバイパス通路６５を設け、流下するパチンコ球はバイパス通路６５上部にて上受け皿方向と下受け皿方向に分岐させられる。このような構成においてエキサイタを振動子とした振動子ユニット６７を球タンク１０２と主ケースレール１０５とバイパス通路６５にそれぞれ装着する。これによって主流出口５８及び下皿用流出口５９が新たな音出口となる。【選択図】      図１０
2010178941.tif 000002
【特許請求の範囲】
【請求項１】
機能の異なる複数のパネル体を前後方向に重複配置して組み立てるようにしたパチンコ遊技機であって、前記複数のパネル体から選ばれた一のパネル体の裏面側上部位置に配置され、外部からあるいは内部を循環して供給されるパチンコ球を貯留する球タンクと、同球タンクの下流位置に配置され遊技の進行に伴って前記球タンクからの所定量のパチンコ球の下流側への流下を許容するパチンコ球払い出し機構に連通される第１の流路と、前記パチンコ球払い出し機構の下流位置に配置され、同パチンコ球払い出し機構から供給されるパチンコ球を遊技者と対面する遊技面側に開口されたパチンコ球流下口に導く第２の流路とを備えたパチンコ遊技機において、
前記球タンク、第１の流路及び第２の流路の少なくとも１つに超磁歪材料又は圧電セラミックを振動子とした振動子ユニットを装着し、同振動子ユニットによって前記球タンク、第１の流路及び第２の流路の少なくとも１つを振動させて所定の効果音を発生させ、その効果音を前記パチンコ球流下口に導くようにしたことを特徴とするパチンコ遊技機。
【請求項２】
前記振動子ユニットは前記球タンクへの新たなパチンコ球の供給となる所定の遊技状態と連動した所定のタイミングで効果音を発生するように制御されることを特徴とする請求項１に記載のパチンコ遊技機。
【請求項３】
前記振動子ユニットが装着された前記球タンク、第１の流路又は第２の流路は装着基板となる前記一のパネル体に対して振動減衰材料を介して装着されていることを特徴とする請求項１又は２に記載のパチンコ遊技機。
【請求項４】
前記振動子ユニットが装着された前記球タンク、第１の流路又は第２の流路が装着される装着基板となる前記一のパネル体は隣接する他の一のパネル体に対して振動減衰材料を介して当接されていることを特徴とする請求項１〜３のいずれかに記載のパチンコ遊技機。
【請求項５】
前記一のパネル体よりも遊技者側に配置される他の一のパネル体は前記パチンコ球流下口（以下、第１のパチンコ球流下口とする）よりも下流にある第２のパチンコ球流下口にパチンコ球の一部を分岐させて導く分岐通路ユニットを備え、前記振動子ユニットによって前記球タンク、第１の流路及び第２の流路の少なくとも１つを振動させて所定の効果音を発生させ、その効果音を前記第１及び第２のパチンコ球流下口に導くようにしたことを特徴とする請求項１〜４のいずれかに記載のパチンコ遊技機。
【請求項６】
前記分岐通路ユニットに超磁歪材料又は圧電セラミックを振動子とした振動子ユニットを装着し、同振動子ユニットによって前記分岐通路ユニットを振動させて所定の効果音を発生させ、その効果音を前記第１及び第２のパチンコ球流下口に導くようにしたことを特徴とする請求項５に記載のパチンコ遊技機。
【請求項７】
機能の異なる複数のパネル体を前後方向に重複配置して組み立てるようにしたパチンコ遊技機であって、前記複数のパネル体から選ばれた一のパネル体の裏面側上部位置に配置され、外部からあるいは内部を循環して供給されるパチンコ球を貯留する球タンクと、同球タンクの下流位置に配置され遊技の進行に伴って前記球タンクからの所定量のパチンコ球の下流側への流下を許容するパチンコ球払い出し機構に連通される第１の流路と、前記パチンコ球払い出し機構の下流位置に配置され、同パチンコ球払い出し機構から供給されるパチンコ球を遊技者と対面する遊技面側に開口されたパチンコ球流下口に導く第２の流路とを備えたパチンコ遊技機において、
前記一のパネル体よりも遊技者側に配置される他の一のパネル体は前記パチンコ球流下口（以下、第１のパチンコ球流下口とする）よりも下流にある第２のパチンコ球流下口にパチンコ球の一部を分岐させて導く分岐通路ユニットを備え、同分岐通路ユニットに超磁歪材料又は圧電セラミックを振動子とした振動子ユニットを装着し、同振動子ユニットによって前記分岐通路ユニットを振動させて所定の効果音を発生させ、その効果音を前記第１及び第２のパチンコ球流下口に導くようにしたことを特徴とするパチンコ遊技機。
【請求項８】
前記分岐通路ユニットは前記他の一のパネル体に対して振動減衰材料を介して装着されていることを特徴とする請求項７に記載のパチンコ遊技機。
【請求項９】
機能の異なる複数のパネル体を前後方向に重複配置して組み立てて構成され、遊技者が対面する最も前面のパネルにはコーン型スピーカユニットが内蔵され、コーン前面から出る効果音が音響通路を通じて前面に形成された音響発生口に導かれることを特徴とする請求項１〜８のいずれかに記載のパチンコ遊技機。
【発明の詳細な説明】
【技術分野】
【０００１】
本発明は、遊技の興趣を盛り立てるために遊技内容に応じた効果音を発生させるためのスピーカ装置を併設したパチンコ遊技機に関するものである。
【背景技術】
【０００２】
従来から例えばパチンコ遊技機では遊技盤の遊技面上に液晶ディスプレイ等の画像表示装置を備えており、遊技の状況に応じて液晶ディスプレイ上で画像の変動等の視覚的な様々な演出をして遊技の興趣を高めるようにしている。そして、この画像変動に伴って遊技機の前面に内蔵されたスピーカ装置から場面に応じた音や声等の効果音を再生し遊技に更なる臨場感を与えるようにしている。効果音は一般に遊技機の前枠前面に形成されたスリットを音の出口として発せられるようになっている。
より臨場感のある効果音を遊技者に実感させるようにするためには、複数のスピーカ装置を用意することが好ましいのであるが、実際にはスピーカ装置が配設される前枠や遊技機本体にはそれほどスペース的な余裕が無いため、取り付けられるスピーカ装置の数には限界がある。また、スピーカ装置を増やす場合には効果音の出口を増設する必要があり、前枠の剛性を維持する必要もある。
更に、従来のスピーカ装置は紙等の薄手の材料からなるコーンを使用したコーン型スピーカユニットを音声発生部としており、かなり嵩張るため、この点も遊技機に多くのスピーカ装置が配設できない大きな理由であった。この種の遊技機に配設される従来のコーン型スピーカユニットの一例として特許文献１を示す。
【先行技術文献】
【特許文献】
【０００３】
【特許文献１】特開２００４−２４３１４７号公報
【特許文献２】特開２００６−２０４７３４号公報
【発明の概要】
【発明が解決しようとする課題】
【０００４】
ところで、近年では従来のコーン型スピーカユニットを使用したスピーカ装置に代わって特許文献２のような超磁歪材料や圧電セラミックのような振動素子を使用した他者振動型のスピーカ装置が新たに提供されている。超磁歪材料を使用した音響デバイスとしては例えばエキサイタが挙げられる。エキサイタは磁界の発生によって外形が大きく変化する性質を有する超磁歪材料のコイルを巻回した構造を有し、エキサイタを装着した物体を自身とともに振動させることによってその物体自体から音声を再生することができる音響デバイスである。特許文献２はエキサイタをウィンドユニットの透明板に装着し、透明板自体を振動させることでスペース的な制限があるこの種の遊技機のスピーカの性能を向上させるというものである。
しかし、エキサイタはコーン型スピーカユニットに比べて嵩張ることはないものの、エキサイタを装着した物体を自身とともに振動させることによってその物体自体から音声を再生することができる音響デバイスであるため、複数のエキサイタを前枠に取り付けた場合には各エキサイタの振動が互いに干渉してしまい、個々のエキサイタに基づく効果音が十分分離できないこととなる。例えば、特許文献２ではその図３及び図４に示すように、１枚の透明板５３の周囲に計４つのエキサイタ５２が装着されているが、このような使い方では互いの音が干渉して従来のコーン型スピーカユニットのように効果音を明瞭に再生させるには不十分であった。そのため、エキサイタを従来のコーン型スピーカユニットの代わりに、あるいは従来のコーン型スピーカユニットと一緒に前枠に装着して使用するというわけにもいかなかった。
これらのような各種問題があるため、従来の設計に大きな変更がなく、無理なく複数のスピーカ装置を配設することの可能なパチンコ遊技機が求められていた。
本発明は、このような従来の技術に存在する諸問題点に着目してなされたものである。その目的とするところは、前枠の設計変更をすることなく音源とその音源からの効果音の音の発生出口を増設することが可能なパチンコ遊技機を提供するものである。
【課題を解決するための手段】
【０００５】
上記の目的を達成するために請求項１の発明では、機能の異なる複数のパネル体を前後方向に重複配置して組み立てるようにしたパチンコ遊技機であって、前記複数のパネル体から選ばれた一のパネル体の裏面側上部位置に配置され、外部からあるいは内部を循環して供給されるパチンコ球を貯留する球タンクと、同球タンクの下流位置に配置され遊技の進行に伴って前記球タンクからの所定量のパチンコ球の下流側への流下を許容するパチンコ球払い出し機構に連通される第１の流路と、前記パチンコ球払い出し機構の下流位置に配置され、同パチンコ球払い出し機構から供給されるパチンコ球を遊技者と対面する遊技面側に開口されたパチンコ球流下口に導く第２の流路とを備えたパチンコ遊技機において、前記球タンク、第１の流路及び第２の流路の少なくとも１つに超磁歪材料又は圧電セラミックを振動子とした振動子ユニットを装着し、同振動子ユニットによって前記球タンク、第１の流路及び第２の流路の少なくとも１つを振動させて所定の効果音を発生させ、その効果音を前記パチンコ球流下口に導くようにしたことをその要旨とする。
【０００６】
上記のような構成では、球タンク、第１の流路及び第２の流路の少なくとも１つに装着された振動子ユニットによってその物体自体から効果音を発生させることとなり、その効果音は球タンク内のパチンコ球の流下通路を形成する第１の流路、パチンコ球払い出し機構及び第２の流路を音響通路としてパチンコ球流下口に導かれ、パチンコ球流下口をパチンコ球の流下口に加えて効果音の出口として使用することができる。
ここに、振動子ユニットとは振動子として超磁歪材料又は圧電セラミックを使用し、これらにその他の電気部品を組み合わせて音声電流に基づいて振動子を振動させるようにしたアッセンブリーであって、振動子ユニット及び振動子ユニットが装着される振動媒体（被振動体）をもってスピーカ装置が構成される。
【０００７】
また、上記の目的を達成するために請求項２の発明では請求項１に記載の発明の構成に加え、前記振動子ユニットは前記球タンクへの新たなパチンコ球の供給となる所定の遊技状態と連動した所定のタイミングで効果音を発生するように制御されることをその要旨とする。
このようにパチンコ球の供給となる所定の遊技状態と連動させることで、パチンコ球の球詰まりの原因となるパチンコ球の球タンクへの供給の際に球タンク〜第２の流路にかけて効果音の発生に伴う振動を与えることができるため、球詰まりを防止することができることとなる。このタイミングは必ずしも球タンクへの供給のタイミングと振動タイミングが一致することを意味しない。例えば、球タンクへの供給のタイミングと若干時間ずらすように振動を与えても構わない。また、供給時間と振動時間とが一致する必要はない。例えば、供給時間よりも長い時間振動させるようにしても構わない。
【０００８】
また、上記の目的を達成するために請求項３の発明では請求項１又は２に記載の発明の構成に加え、前記振動子ユニットが装着された前記球タンク、第１の流路又は第２の流路は装着基板となる前記一のパネル体に対して振動減衰材料を介して装着されていることをその要旨とする。
これによって振動子ユニットの振動を直接受ける球タンク、第１の流路又は第２の流路の振動が装着基板となる一のパネル側に伝わりにくく、その結果、装着基板を介して他の機構へ振動が伝達された場合の振動に伴う不具合が生じるおそれが少なくなる。
また、上記の目的を達成するために請求項４の発明では請求項１〜３のいずれかに記載の発明の構成に加え、前記振動子ユニットが装着された前記球タンク、第１の流路又は第２の流路が装着される装着基板となる前記一のパネル体は隣接する他の一のパネル体に対して振動減衰材料を介して当接されていることをその要旨とする。
これによって振動子ユニットの振動が球タンク、第１の流路又は第２の流路の装着基板となる一のパネルから隣接するパネル側に伝わりにくく、その結果、装着基板を介して他の機構へ振動が伝達された場合の振動に伴う不具合が生じるおそれが少なくなる。
【０００９】
また、上記の目的を達成するために請求項５の発明では請求項１〜４のいずれかに記載の発明の構成に加え、前記遊技機本体は前記パチンコ球流下口（以下、第１のパチンコ球流下口とする）よりも下流にある第２のパチンコ球流下口にパチンコ球の一部を分岐させて導く分岐通路ユニットを備え、前記振動子ユニットによって前記球タンク、第１の流路及び第２の流路の少なくとも１つを振動させて所定の効果音を発生させ、その効果音を前記第１及び第２のパチンコ球流下口に導くようにしたことをその要旨とする。
これによって効果音の発生出口を更に増やすことが可能となる。
また、上記の目的を達成するために請求項６の発明では請求項５に記載の発明の構成に加え、前記分岐通路ユニットに超磁歪材料又は圧電セラミックを振動子とした振動子ユニットを装着し、同振動子ユニットによって前記分岐通路ユニットを振動させて所定の効果音を発生させ、その効果音を前記第１及び第２のパチンコ球流下口に導くようにしたことをその要旨とする。
これによって第１の流路、パチンコ球払い出し機構及び第２の流路を音響通路とした効果音を補強したより大きな効果音を第１及び第２のパチンコ球流下口から出力させることができる。
【００１０】
また、上記の目的を達成するために請求項７の発明では、機能の異なる複数のパネル体を前後方向に重複配置して組み立てるようにしたパチンコ遊技機であって、前記複数のパネル体から選ばれた一のパネル体の裏面側上部位置に配置され、外部からあるいは内部を循環して供給されるパチンコ球を貯留する球タンクと、同球タンクの下流位置に配置され遊技の進行に伴って前記球タンクからの所定量のパチンコ球の下流側への流下を許容するパチンコ球払い出し機構に連通される第１の流路と、前記パチンコ球払い出し機構の下流位置に配置され、同パチンコ球払い出し機構から供給されるパチンコ球を遊技者と対面する遊技面側に開口されたパチンコ球流下口に導く第２の流路とを備えたパチンコ遊技機において、前記一のパネル体よりも遊技者側に配置される他の一のパネル体は前記パチンコ球流下口（以下、第１のパチンコ球流下口とする）よりも下流にある第２のパチンコ球流下口にパチンコ球の一部を分岐させて導く分岐通路ユニットを備え、同分岐通路ユニットに超磁歪材料又は圧電セラミックを振動子とした振動子ユニットを装着し、同振動子ユニットによって前記分岐通路ユニットを振動させて所定の効果音を発生させ、その効果音を前記第１及び第２のパチンコ球流下口に導くようにしたことをその要旨とする。
上記のような構成では、分岐通路ユニットに装着された振動子ユニットによって分岐通路ユニット自体から効果音を発生させることとなり、その効果音は第１及び第２のパチンコ球流下口に導かれるためこれらパチンコ球流下口をパチンコ球の流下口に加えて効果音の出口として使用することができる。
【００１１】
また、上記の目的を達成するために請求項８の発明では請求項７に記載の発明の構成に加え、前記分岐通路ユニットは前記他の一のパネル体に対して振動減衰材料を介して装着されていることをその要旨とする。
これによって振動子ユニットの振動を直接受ける分岐通路ユニットの振動が遊技機本体側に伝わりにくく、その結果、他の一のパネル体や他の一のパネル体を介して他の機構へ振動が伝達された場合の振動に伴う不具合が生じるおそれが少なくなる。
また、上記の目的を達成するために請求項９の発明では請求項１〜８のいずれかに記載の発明の構成に加え、機能の異なる複数のパネル体を前後方向に重複配置して組み立てて構成され、遊技者が対面する最も前面のパネルにはコーン型スピーカユニットが内蔵され、コーン前面から出る効果音が音響通路を通じて前面に形成された音響発生口に導かれることをその要旨とする。
これによって、従来のコーン型スピーカユニットが内蔵されたパチンコ遊技機において従来と同様に音響発生口から効果音を発生させると同時にパチンコ球流下口を新たな効果音の出口とすることができ、最も前面のパネルについて効果音の出口を増やすために設計変更をする必要がなくなる。
【発明の効果】
【００１２】
上記請求項１〜９に記載された発明では、前枠の設計変更をすることなく音源とその音源からの効果音の音の発生出口を増設することが可能となる。
【図面の簡単な説明】
【００１３】
【図１】本発明を応用した実施の形態のパチンコ遊技機の正面図。
【図２】同じパチンコ遊技機の斜視図。
【図３】同じパチンコ遊技機の分解斜視図。
【図４】同じパチンコ遊技機における機構盤の斜視図。
【図５】同じパチンコ遊技機における前面扉の斜視図。
【図６】同じパチンコ遊技機における遊技機本体の正面図。
【図７】同じパチンコ遊技機における前面扉を扉枠と扉パネルに離間させて説明する斜視図。
【図８】同じパチンコ遊技機における球タンクの下方からの斜視図。
【図９】同じパチンコ遊技機において図５のＡ−Ａ断面線での端面図。
【図１０】同じパチンコ遊技機における球タンク、上部ケースレール及びバイパス通路で発生した効果音の流れを模式的に説明する説明図。
【図１１】他の実施例における機構盤へクッション材を介して各種部材を取り付ける状態を説明する説明図。
【発明を実施するための形態】
【００１４】
以下、本発明の各実施の形態について図面に基づいて説明する。
図１〜図３に示すように、パチンコ遊技機の分類上、いわゆる第１種に区分されるパチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には遊技機本体１４が装着されている。前方パネル体としての遊技機本体１４はパチンコ遊技機の構造的な中核を形成する正面視において長方形形状をなすパネル状の構成部材であって、外枠１２内において幕板１３上に配置されている。図１〜図３に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図３参照）を軸心として前方側に開放可能とされている。図３に示すように、遊技機本体１４は開閉軸線Ｐ側とは逆側の側縁に上下方向に間隔を開けて３箇所にラッチ機構Ｌ１が配設されている。ラッチ機構Ｌ１は遊技機本体１４が外枠１２に対して閉塞された際に外枠１２側の挿入溝Ｄ１に挿入されて係合しロック状態とされる。
【００１５】
図６に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方上部位置にはパチンコ球流入通路２１が形成されている。
遊技機本体側機構部１６の上方には遊技盤取り付けスペース２５が形成され、遊技盤２７が同スペース２５内に配設されている。同スペース２５は遊技盤２７が載置される載置部としての棚部２８と、略楕円形状に切り欠き形成された開口部としての窓孔２９と遊技盤２７がはめ込まれる遊技盤２７の外郭形状に略一致した凹部３０とを有している。凹部３０の前面、つまり窓孔２９の周囲には遊技盤２７が凹部３０内に嵌合された状態でその前面部分が当接される前面板部３０ａとされている。
【００１６】
遊技盤２７の遊技者に対面した面は遊技面２７ａとされている。遊技面２７ａから裏面に貫通する大小複数の開口部が形成され、各開口部にはそれぞれ目的に応じた各種装飾パネルが併設されている。遊技盤２７の略中央には可変表示ユニット３５が配設されている。可変表示ユニット３５は大型の液晶ディスプレイ３６を備えている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかったパチンコ球はアウト口４２を通って図示しない球排出路の方へと案内されるようになっている。遊技盤２７の表面には、パチンコ球の落下方向を適宜分散、調整等するために多数の遊技釘が植設されている。また、風車４３等の各種部材（役物）が配設されている。
遊技盤２７の遊技面２７ａ上には、レール部材としての外レール４４と内レール４５が装着されている。遊技盤２７が遊技機本体１４の遊技盤取り付けスペース２５に配設された状態で両レール４４，４５及び前記遊技機本体１４側の窓孔２９を包囲する壁面３１の一部によって遊技面２７ａに遊技領域が画定されている。
図３に示すように、遊技盤２７の背面には表示制御装置４６や主制御装置及び音声ランプ制御装置４７が配設されている。主制御装置は全体の制御を司るメインＣＰＵ、遊技プログラムを記憶したＲＯＭ、遊技の進行状況に応じて必要なデータを記憶するＲＡＭ、音声や表示ランプ等の制御を行うサブＣＰＵ、クロックパルス発生回路、各種ポート等から構成されている。
【００１７】
次に遊技機本体１４前面の扉枠５１と扉パネル５２について説明する。
図３に示すように、遊技機本体１４の前面にはそれぞれパネル体としての扉枠５１と扉パネル５２が配設されている。扉枠５１はプレス成形された合金製の板体であり、扉パネル５２はＡＢＳ樹脂製のパネル体である。扉枠５１及び扉パネル５２は図示しないネジによって接合されて前枠としての前面扉５３を構成する。図１、図３に示すように、前面扉５３の外郭は遊技機本体１４の正面から見た外郭と略一致した長方形形状の外郭の正面形状を有している。前面扉５３は遊技機本体１４に対して開閉可能に取り付けられている。前面扉５３（扉枠５１）は遊技機本体１４と同様前記開閉金具１５ａ，１５ｂの開閉軸線Ｐと同軸に取り付けられた開閉金具５４を軸心として前方側に開放可能とされている。そのため、遊技機本体１４は外枠１２に対して開閉可能とされるとともに、前面扉５３は外枠１２と遊技機本体１４のそれぞれに対して独立して開閉可能とされている。
【００１８】
扉枠５１には遊技者が遊技面２７ａを目視するための窓孔５５が形成されている。扉枠５１の前面側であって窓孔５５の左右寄り上部位置には左右一対のコーン型スピーカユニット５６が配設されている。また、窓孔５５の上半分を包囲するように装飾ランプとしてのＬＥＤユニット５７が配設されている。図７に示す扉枠５１の前面側からの目視において、窓孔５５の下部左方には遊技機本体１４のパチンコ球流入通路２１から流入するパチンコ球の扉枠６１前面側への流出口となる主流出口５８が形成されている。窓孔５５の下部中央には下皿用流出口５９が形成されている。窓孔５５の下部右方には前記送球部１９と連通されて発射用のパチンコ球を流下させる発射球流下口６０が形成されている。
図５に示すように、扉枠５１の背面側であって窓孔５５に面する位置にはユニット化された窓ガラス６２が配設されている。窓ガラス６２の下方位置にはガードパネル（ミスショットしたパチンコ球が隙間に入るのを防止する部材）６３が配設され、ガードパネル６３の下方にはユニット化された分岐通路ユニットとしてのバイパス通路６５が配設されている。バイパス通路６５は主流出口５８から下皿用流出口５９にかけて密閉された断面方形の通路を形成する。バイパス通路６５は図９に示すように振動減衰材料としてのゴムスポンジからなるパッキン６４を介して扉枠５１の背面の取り付け面５１ａに固定されている。
【００１９】
図５に示すように、バイパス通路６５上部には後方側に突出する挿入部６６が形成されている。挿入部６６は上方が開放された略皿形状をなし、内部が隔壁６８によって左右２つに分割されている。内側分割部６６ａが主流出口５８に連通され、外側分割部６６ｂがそのままバイパス通路６５の上部開口部分とされる。前面扉５３が遊技機本体１４に対して閉塞された状態で挿入部６６は遊技機本体１４側のパチンコ球流入通路２１内に挿入されることとなる。パチンコ球流入通路２１から流下するパチンコ球は内側分割部６６ａから後述する上受け皿７７方向に流下し、上受け皿７７が一杯になって挿入部６６の内側分割部６６ａまでその渋滞が及ぶような場合にはパチンコ球は外側分割部６６ｂからバイパス通路６５を通じて後述する下受け皿８１方向に迂回させられることとなる。
バイパス通路６５の背面壁部の左右方向中央付近にはエキサイタを使用したスピーカ装置の一部をなす振動子ユニット６７が配設されている。エキサイタは磁気回路と駆動コイル及び超磁歪素子から構成され、本実施例では振動子ユニット６７は主制御装置及び音声ランプ制御装置４７から出力される音声電流に基づいて駆動されるものとする。
【００２０】
扉パネル５２には遊技者が遊技面２７ａを目視するための窓部としての目視用窓孔７５が形成されている。目視用窓孔７５は上記扉枠５１の窓孔５５の大きさと一致する。扉パネル５２の目視用窓孔５５の下方位置には、前側へ膨出した第１の膨出部７６が設けられ、その第１の膨出部７６内側が上受け皿７７とされている。上受け皿７７の上流位置には第１のパチンコ球流下口としての上部流下口７８が形成されている。上受け皿７７は後述する払い出し装置１２４から払い出され、パチンコ球流入通路２１から上部流下口７８を介して供給されるパチンコ球を一旦貯留し、一列に整列させながら遊技球発射ユニット１７に導くための球貯留部とされる。
【００２１】
第１の膨出部７６の下方位置には、前側へ膨出した第２の膨出部８０が設けられ、その第２の膨出部８０内側が下受け皿８１とされている。図１に示すように、下受け皿８１内には図３及び図５に示すバイパス通路２３や図示しないファール通路からパチンコ球が流下する第２のパチンコ球流下口としての下部流下口８２が配設されている。下受け皿８１は上受け皿７７のパチンコ球の貯留量が多すぎる場合や遊技者の能動的な操作に基づいて上受け皿７７から流下させたパチンコ球を貯留するための補助的な球貯留部である。
扉パネル５２は全体としてデザイン的な統一が図られている。正面から見て下受け皿８１の左方には灰皿８４が配設されている。下受け皿８１の右方には遊技球発射ユニット１７と連動するパチンコ球打ち出し用ハンドル８５が前方に突出形成されている。前記コーン型スピーカユニット５６の前面位置に当たる扉パネル５２部分には効果音の音響発生口となるスリットの形成されたスピーカ前面パネル８６が配設されている。また、本実施例では扉パネル５２におけるコーン型スピーカユニット５６とスピーカ前面パネル８６の間の空間はコーン型スピーカユニット５６のための音響通路となる。
【００２２】
次に、遊技機本体１４の背面側に配設される後方パネル体としての機構盤１００の構成について説明する。
機構盤１００は遊技機本体１４に対して着脱可能に取着されており、遊技機本体１４上の遊技盤２７は扉枠５１と本機構盤１００に前後から挟まれるように配置されている。
図３及び図４に示すように、機構盤１００は遊技機本体１４よりも一回り小さな長方形形状で中央に大型方形の開口部Ｓを有するポリカーボネート製のフレーム１０１をベースとしている。フレーム１０１の遊技機本体１４と当接する当接部全周囲にはゴムスポンジからなるパッキン１１２が貼着されている。
機構盤１００の最上部位置には球タンク１０２が配設されている。球タンク１０２には遊技ホールの島設備から新たなパチンコ球が供給される。図８に示すように、球タンク１０２の裏面には上記と同じエキサイタを使用したスピーカ装置の一部をなす振動子ユニット６７が配設されている。球タンク１０２の下部隣接位置にはタンクレール１０３が配設されている。タンクレール１０３の下流側にはタンクレール１０３から供給されるパチンコ球を下方に方向転換させながら流下させる上部ケースレール１０４が配設されている。上部ケースレール１０４の裏面には上記と同じエキサイタを使用したスピーカ装置の一部をなす振動子ユニット６７が配設されている。上部ケースレール１０４の下流側には上下に延びる主ケースレール１０５が配設されている。主ケースレール１０５の途中には払い出し装置１０６（図３参照）が配設されている。主ケースレール１０５の下流側には下部ケースレール１０７が配設されている。下部ケースレール１０７は下部寄りほど前方位置に進出させられており、流下するパチンコ球は徐々に前方（前面扉５３側）に導かれていく。下部ケースレール１０７の最下部前方位置には機構盤１００からのパチンコ球の出口となる機構盤側流下口１０８が形成されている。機構盤側流下口１０８は遊技機本体１４に対して扉枠５１と機構盤１００をそれぞれ閉塞された状態で遊技機本体１４のパチンコ球流入通路２１に接続される。タンクレール１０３、上部ケースレール１０４、主ケースレール１０５及び下部ケースレール１０７は本発明の第１の流路又は第２の流路に相当する。
パチンコ球は球タンク１０２からタンクレール１０３を経由してまず上部ケースレール１０４に案内され、主ケースレール１０５において後述する払い出し制御装置１１１による払い出し装置１０６の制御に基づいて下流への流下が調整される。主ケースレール１０５のパチンコ球は更に下部ケースレール１０７に案内されて、機構盤側流下口１０８から遊技機本体１４のパチンコ球流入通路２１を介し、扉枠５１（前面扉５３）の主流出口５８に導かれ上部流下口７８から上受け皿７７に至る。また、パチンコ球は上受け皿７７が一杯になった場合には挿入部６６において外側分割部６６ｂからバイパス通路６５を通じて下受け皿８１に至る。
【００２３】
払い出し装置１０６の下部位置であって主ケースレール１０５と重複状に外部電源基板１１６が配設されている。外部電源基板１１６は変圧器を介して供給される電源を遊技機全体に供給するためのメイン基板とされる。
図３に示すように、タンクレール１０３の下部位置であり主ケースレール１０５及び外部電源基板１１６の側方位置には表示制御装置４６及び主制御装置及び音声ランプ制御装置４７を覆う保護カバー１１７が配設されている。機構盤１００の最下部位置には払い出し等制御ユニット１１９が配設されている。払い出し等制御ユニット１１９に隣接した側方位置（外部電源基板１１６の下方）には払い出し中継基板１２０が配設されている。図４に示すように、機構盤１００の下部位置には遊技球回収ケース１２１が着脱可能に配設されている。
【００２４】
次に、このように構成されたパチンコ遊技機１１の作用について説明する。本実施例では上記球タンク１０２、バイパス通路６５及び上部ケースレール１０４に装着された振動子ユニット６７はパチンコ遊技機１１において遊技球が入賞して所定の賞球の払い出しが行われる際に、その払い出し動作に伴って駆動されることとなる。つまり、振動子ユニット６７はパチンコ球の入賞に伴って払い出し装置１０６が駆動させられると、その動作に同期した主制御装置及び音声ランプ制御装置４７からの所定の音声電流に基づいて駆動させられて効果音を発生するようになっている。一方、前面扉５３側に配設されたコーン型スピーカユニット５６はこれら振動子ユニット６７と同様にパチンコ球の払い出しに同期して効果音を発生させるが、払い出し以外の場合でも遊技の進行状況に応じた効果音を発生させるようになっている。
音声電流が振動子ユニット６７に流れると、エキサイタの駆動コイルがその電流の強弱に従って励磁され素子を振動させる。この振動に伴って球タンク１０２、バイパス通路６５及び上部ケースレール１０４の振動子ユニット６７が装着された壁面がそれぞれ独自に振動し、音を発生させることとなる。図１０に示すように、球タンク１０２で発生した効果音はタンクレール１０３を音通路として上部ケースレール１０４方向に伝達される。球タンク１０２で発生した効果音は徐々に減衰するものの、上部ケースレール１０４でも同じく振動子ユニット６７によって効果音が発生しているため、音圧レベルは増幅されて下流の主ケースレール１０５及び下部ケースレール１０７方向に伝達される。この時、タンクレール１０３、上部ケースレール１０４、主ケースレール１０５及び下部ケースレール１０７によって効果音が伝達される音通路が形成されていることとなる。
そして、効果音は機構盤１００側から扉枠５１（前面扉５３）の主流出口５８から扉パネル５２の上部流下口７８を音出口として発せられる。一方、音通路となるバイパス通路６５でも同じく振動子ユニット６７によって効果音が発生しているため、上部流下口７８からはバイパス通路６５で発生した効果音も機構盤１００側からの音と合わさり上部流下口７８から発せられる。更に、機構盤１００側からの効果音はバイパス通路６５を音通路として伝達されバイパス通路６５で発生した効果音と合わさり下皿用流出口５９から下部流下口８２を音出口として発せられる。
【００２５】
このように構成されたパチンコ遊技機１１では、次のような効果が奏される。
（１）従来のようなコーン式のスピーカ装置５６に加えてエキサイタを使用した振動子ユニット６７を使用し、スピーカ前面パネル８６に加えて本来パチンコ球の出口である上部流下口７８と下部流下口８２からも効果音が発せられるように構成したため、従来に較べて効果音の出口が増え、より臨場感のある効果音を遊技者に提供することができる。しかも、前面扉５３や遊技機本体１４については特に設計変更する必要はない。
（２）振動子ユニット６７は機構盤１００側に配置され、機構盤１００側の振動はパッキン１１２によって遊技機本体１４や前面扉５３側には伝わりにくくなっているため、遊技する遊技者がパチンコ球打ち出し用ハンドル８５を握ったり扉パネル５２に手を掛けていても振動子ユニット６７の振動を感じることはない。
（３）振動子ユニット６７は機構盤１００側の３箇所に所定距離を離して装着されているため、効果音が音通路としての各ケースレール１０４，１０５，１０７やバイパス通路６５を通過する際に適宜増幅されるため、上部流下口７８と下部流下口８２に達する効果音が減衰しにくくなっている。
（４）各振動子ユニット６７はコーン式のスピーカ装置５６とは異なりパチンコ球の球タンク１０２への供給と密接な関係のある払い出し装置１０６が駆動される際に効果音を発するようになっているため、効果音発生の際に生じる振動がパチンコ球の供給〜流下の際の球詰まり等の防止に貢献するようになっている。
【００２６】
本発明は以下のような態様に変更して実施することが可能である。
・上記実施例では機構盤１００側のフレーム１０１の遊技機本体１４と当接する当接部全周囲にはゴムスポンジからなるパッキン１１２を貼着して、機構盤１００側の振動子ユニット６７由来の振動がその他のパネル（遊技機本体１４や前面扉５３）に伝達されるのを防止するようにしていたが、図１１に示すように振動子ユニット６７が装着された各部材（球タンク１０２、上部ケースレール１０４及びバイパス通路６５）にそれぞれ振動減衰材料としてのクッション材１２５を介してフレーム１０１に固定させるようにして、振動の伝達を防止するようにしても構わない。
・上記では振動子ユニット６７はコーン式のスピーカ装置５６とは異なり遊技球の入賞の際にのみ効果音を発生させるようにしていたが、コーン式のスピーカ装置５６と同じように効果音を発生させるようにしてもよい。
・コーン式のスピーカ装置５６とは異なった振動子ユニット６７のみに特有の効果音を発生させるようにしてもよい。例えば、上部流下口７８と下部流下口８２からコーン式のスピーカ装置５６の効果音を補うような特に低音の効果音を発生させるようにしてもよい。
・球タンク１０２、上部ケースレール１０４及びバイパス通路６５以外の効果音を伝達できる音通路となる部材に振動子ユニット６７を配設することも可能である。
・上記実施例においてバイパス通路６５のみに振動子ユニット６７装着することも自由である。
・上記実施例ではバイパス通路６５は前面扉５３に配設された例を挙げたが、遊技機本体１４側に配設するようにしてもよい。また、バイパス通路６５の形状は上記に限定されるものではない。
その他、本発明の趣旨を逸脱しない態様で実施することは自由である。
【符号の説明】
【００２７】
１１…パチンコ遊技機、１４…パネル体としての遊技機本体、５３…パネル体としての前面扉、６５…分岐通路ユニットとしてのバイパス通路、６７…振動子ユニット、７８…パチンコ球流下口としての上部流下口、８２…パチンコ球流下口としての下部流下口、１００…パネル体としての機構盤、１０３…第１又は第２の流路としてのタンクレール、１０４…第１又は第２の流路としての上部ケースレール、１０５…第１又は第２の流路としての主ケースレール、１０７…第１又は第２の流路としての下部ケースレール。
【図１】
2010178941.tif 000003
【図２】
2010178941.tif 000004
【図３】
2010178941.tif 000005
【図４】
2010178941.tif 000006
【図５】
2010178941.tif 000007
【図６】
2010178941.tif 000008
【図７】
2010178941.tif 000009
【図８】
2010178941.tif 000010
【図９】
2010178941.tif 000011
【図１０】
2010178941.tif 000012
【図１１】
2010178941.tif 000013